(57)【特許請求の範囲】
【請求項１】
箱状の箱枠体の表側に、方形に框組みし且つその内側開口部に画面表示保護用透明板を備えた框枠体を、上記箱枠体の外側から嵌め合い状に装着し、上記箱枠体内の直状光源から表側に配した光拡散層と表示フィルムを照射して表示する内照用表示器において、
上記箱枠体の外側の一側に沿って、中央に回転軸を有する断面Ｔ字形の回転軸付きレール材を配置し、この回転軸付きレール材の上記回転軸をはさんで一方の側端部を上記箱枠体の外側に形成された係止溝に係止させ、他方の側端部を上記箱枠体にネジ止めすることにより固定し、上記回転軸に対し、上記框枠体の一側に沿って形成した溝縁を回動可能に嵌合して框枠体を箱枠体に対して開閉可能とするとともに、
上記光拡散層は上記光源に最も近い透明の裏側拡散層と、上記光源に最も遠い乳白色の表側拡散層と、上記裏側拡散層と表側拡散層との間の遮光層とから成る三層重合構造の光拡散層であって、遮光層は銀を含有し、アクリル系樹脂、芳香族系及びグリコール系の溶剤を混合したインクを塗布し乾燥させた透明アクリル製のフィルムから構成され、上記インクは上記直状光源に近くなればなる程濃くなるように光源からの距離によって粗密に塗布されている
ことを特徴とする内照用表示器。
【請求項２】
前記框枠体の内側に沿って中空部を形成し、且つ中空部の近傍に受け溝を形成し、この受け溝に前記框枠体のコーナ部に配置されるコーナ具を係合させた前記請求項１記載の内照用表示器。
【請求項３】
前記框枠体の内周側に取付縁を形成し、この取付縁の内側に画面表示保護用透明板を取り付けるとともに、この画面表示保護用透明板の外周外側面と上記取付縁とを接着剤で接着するとともに、画面表示保護用透明板の外周端面と框枠体との間に防水コーキング材を配した前記請求項１記載の内照用表示器。
【請求項４】
前記箱枠体又は前記框枠体のいずれか一方の全周に沿って断面Ｄ字状のクッション材を配設し、上記框枠体を閉じたときにこのクッション材の弯曲面を他方に当接した前記請求項１記載の内照用表示器。
【請求項５】
前記表側拡散層の表面に沿って前記表示フィルムを張設し、その外周部を箱枠体開口部の支持部に固定した前記請求項１記載の内照用表示器。
【請求項６】
前記直状光源と平行に、反射板を傾斜して設けた前記請求項１記載の内照用表示器。
【発明の詳細な説明】
【０００１】
【発明の属する技術分野】
本発明は、内部の光源によって表示フィルムを張設した表示面を照射して表示するようにした内照用表示器に関する。
【０００２】
【従来技術とその問題点】
一般に、この種の表示器は光源として蛍光灯を使用しているので、表示面のうち蛍光灯に近い部分は明るく、遠い部分は暗くなり、表示層全体の明るさにムラがでる傾向が強い。光源と表示面との間の距離を離すことにより、明るさは均一になるが、この場合は表示器の厚みが大きくなり、取り付け寸法、躯体の奥行き寸法が大きくなり壁面の奥行を大きくするため、建物躯体への拘束をうける問題がある。また、表示器の表示面が躯体仕上面より大きく突出してしまうという問題がある。
【０００３】
【発明が解決しようとする課題】
本発明は上記問題点を解消し、表示器の奥行全体の厚みを薄くしても表示面の全体に明るさのムラが生じにくく、全体を均一に照射できる内照用表示器を提供することをその課題とする。
【０００４】
【発明が解決しようとする課題】
前記課題を解決するため、請求項１に係る発明は、箱状の箱枠体の表側に、方形に框組みし且つその内側開口部に画面表示保護用透明板を備えた框枠体を、上記箱枠体の外側から嵌め合い状に装着し、上記箱枠体内の直状光源から表側に配した光拡散層と表示フィルムを照射して表示する内照用表示器において、上記箱枠体の外側の一側に沿って、中央に回転軸を有する断面Ｔ字形の回転軸付きレール材を配置し、この回転軸付きレール材の上記回転軸をはさんで一方の側端部を上記箱枠体の外側に形成された係止溝に係止させ、他方の側端部を上記箱枠体にネジ止めすることにより固定し、上記回転軸に対し、上記框枠体の一側に沿って形成した溝縁を回動可能に嵌合して框枠体を箱枠体に対して開閉可能とするとともに、上記光拡散層は上記光源に最も近い透明の裏側拡散層と、上記光源に最も遠い乳白色の表側拡散層と、上記裏側拡散層と表側拡散層との間の遮光層とから成る三層重合構造の光拡散層であって、遮光層は銀を含有し、アクリル系樹脂、芳香族系及びグリコール系の溶剤を混合したインクを塗布し乾燥させた透明アクリル製のフィルムから構成され、上記インクは上記直状光源に近くなればなる程濃くなるように光源からの距離によって粗密に塗布されていることを特徴とする。
【０００５】
請求項２に係る発明は、前記框枠体の内側に沿って中空部を形成し、且つ中空部の近傍に受け溝を形成し、この受け溝に前記框枠体のコーナ部に配置されるコーナ具を係合させたことを特徴とする。
【０００６】
請求項３に係る発明は、前記框枠体の内周側に取付縁を形成し、この取付縁の内側に画面表示保護用透明板を取り付けるとともに、この画面表示保護用透明板の外周外側面と上記取付縁とを接着剤で接着するとともに、画面表示保護用透明板の外周端面と框枠体との間に防水コーキング材を配したことを特徴とする。
【０００７】
請求項４に係る発明は、前記箱枠体又は前記框枠体のいずれか一方の全周に沿って断面Ｄ字状のクッション材を配設し、上記框枠体を閉じたときにこのクッション材の弯曲面を他方に当接したことを特徴とする。
【０００８】
請求項５に係る発明は、前記表側拡散層の表面に沿って前記表示フィルムを張設し、その外周部を箱枠体開口部の支持部に固定したことを特徴とする。
【０００９】
請求項６に係る発明は、前記直状光源と平行に、反射板を傾斜して設けたことを特徴とする。
【００１０】
【発明の実施の形態】
図１は内照用表示器の正面図、図２及び図３はそれぞれ図１のＸーＸ線及びＹーＹ線上の拡大断面図である。
【００１１】
同図において符号１は箱枠体を示す。２は框枠体で、箱枠体１に回動開閉自在に装着されている。
【００１２】
箱枠体１は両側の縦枠１ａと上下の横枠１ｂとから方形に枠組みされ、上記各枠材は外側段部３と中央段部４と内側段部５の３段に形成されている。内側段部５の内方には開口部が形成されている。
【００１３】
一方の縦枠１ａの外側段部３との間の段壁には係止溝７が形成され、この係止溝７には、中央に回転軸８を有する断面Ｔ字形の回転軸８付きレール材９の一側端１０が係止され、他側端１１は中央段部４にネジ１２で固定されている。このように、係止溝７に別材の回転軸付きレール材９の一端１０を係止しているので、支持強度が増す。
【００１４】
また、裏板６には光源用ソケット１３と安定器１４とグローランプ１５が固定されているとともに、ソケット１３には直状光源１６（蛍光灯）が取り付けられている。直状光源１６は表示器の大きさで、適位数が配されるが、この場合は、２本平行に取り付けられている。そして、直状光源１６と平行に反射板１７が設けられている。反射板１７の一側は縦枠１ａの内側段部５から開口面と平行に、内方に突出した突縁１８に当接され、反射板１７の他側は蝶ナット１９が裏板に固定されている。反射板１７の角度は３０°程度が好ましい。反射板１７は傾いているので、光源１６に遠い部位で反射板１７と後述の光拡散層２０との間の距離は小さくなるので、全体の明るさにあまり大きなムラが出るのを防止することができる。
【００１５】
なお、箱枠体１の表側の開口部は上記のように内側段部５の内方に形成され、上記突縁１８には後述の光拡散層等からなる光拡散層２０とこの表側に表示フィルム２１が取り付けられている。
【００１６】
框枠体２は両側の縦框枠２ａと上下の横框枠２ｂとからコーナー部に配置されるコーナー具２２を介して方形に框組みされ、上記各框枠２ａ、２ｂは額縁状の表縁部２３と側面を構成する側縁部２４とを略Ｌ字状に屈曲形成して成り、屈曲部の内側に沿って中空補強部２５が形成されている。側縁部２４の内側には中空補強部２５（中空部）の近傍にコーナー具２２を係合させる受け溝２６が形成されている。受け溝２６にコーナー具２２を係合させることにより、取付け作業が容易で、框枠体２の支持強度が増す。
【００１７】
また、上記受け溝２６の裏側には取付凹部２７が形成され、この取付凹部２７には断面中空形のＤ字状のクッション材２８が取り付けられている。このクッション材２８は框枠体２の全周に沿って配設される。
さらに上記別材の回転軸付きレール材９を取り付けた縦枠１ａに対向する縦框枠２ａには、上記取付凹部２７の裏側の端部に円弧状の溝縁２９が全長に沿って形成されている。
【００１８】
また、上記框枠体２の内側には開口部が形成されるが、内周側の表縁部２３を取付縁として、この取付縁２３の内側に画面表示保護用透明板３０が取り付けられている。この透明板３０の外周外側面と上記取付縁２３とは接着剤３１で接着固定され、さらに、透明板３０の外周端面と框枠体２の中空補強部２５との間には防水コーキング材３２が配されている。このように、画面表示保護用透明板３０の全周囲に接着・防水コーキングしたので、上記透明板３０を支持する為の部材の厚み分だけ薄くなり、薄型の表示器が得られ、また確実な防水ができる。必要により、なお、大きな面積の表示器では取付金具を介してさらに保持される。
【００１９】
次に、上記框枠体２は上記一方の縦框枠２ａの側縁部２４の先端溝縁２９を上記縦枠１ａのレール材９の回転軸８に回動可能に嵌合することによって回動開閉可能に取り付けられている。回転軸８付きレール材９を配設することで、箱枠体１にヒンジ部材を取り付ける場合に比べて、取付作業が簡単で、コストも低く抑えることができる。また、レール材９は縦框枠２ａの一側に沿って取り付けられているので、開閉時に框枠体２を大きな強度で支持することができる。
【００２０】
上記框枠体２を閉じたとき、上記レール材９と反対の他方の縦框枠２ａは対応する縦枠１ａにローラーキャッチ３４で受け止められ、開閉錠３５で施錠できるように構成されている。また、框枠体２を閉じたときは、クッション材２８の弯曲面は箱枠体１の縦枠１ａの側面に安定確実に当接する。このようなクッション材２８の配設により水密が得られ、また、無理なく開閉操作でき、気密、水密も確保できる。
【００２１】
なお、クッション材２８は箱枠体１側に取り付け、閉じ時に框枠体２に当接するようにしてもよい。
【００２２】
次に、箱枠体１の表側の開口部は上記のように内側段部５の内方に形成され、上記突縁１８には取付金具３６が固定され、この取付金具３６に表裏側の拡散層２０ａ、２０ｂ、光拡散板フィルム２０ｃからなる３重構成の光拡散層２０と表示フィルム２１が取り付けられている。
【００２３】
光拡散板等の光拡散層２０は図４に示されるように、上記光源１６に最も近い側に透明の裏側拡散層２０ａと、上記光源１６に最も遠い乳白色の表側拡散層２０ｂと、上記裏側拡散層２０ａと表側拡散層２０ｂとの間の遮光層２０ｘであってインクを塗布し乾燥したアクリル製のフィルム２０ｃとからなる三層重合構造の光拡散層２０から構成されたものである。
【００２４】
裏側拡散層２０ａは、淡青色の蛍光色の透明アクリル板から構成されている。光源１６が淡青色に蛍光色に透光される透明アクリル板で、画像表示が鮮明となり、より良い明るい光源１６の透光ができる。
【００２５】
なお、裏側拡散層２０ａを上記淡青色の蛍光色の透明アクリル板から構成するときは、前記直状光源１６を昼白色の蛍光灯等の光源にするのが好ましい。これによれば、昼白色の蛍光灯等の光源からの光は照度が高く、上記の裏側拡散層２０ａからの薄青色の投光効果と相まって、画像表示絵柄がより鮮明になる。
【００２６】
次に、裏側拡散層２０ａは、２mm〜５mm厚、好ましくは２mm〜３mm厚のアクリル板を使用し、例えば板厚が３mmでの光学的性質（ＪＩＳ  Ｋ７１０５試験法）が、全光線透過率９１〜９５％で、屈折率１．４〜１．５５（Ｎａ−Ｄ線）および全反射率が１０〜１３％であるのが望ましい。その中でも、好ましくは、全光線透過率・平行線透過率が９３±１％、屈折率１．４９±０．０５（Ｎａ−Ｐ線）および全反射率が１１％±０．１のものを選択するのがよい。
【００２７】
上記光学的性質による具体的な効果は、淡青色のアクリル板で使用したとき、これらの条件にすることで、ルクスを高くできる拡散光となる。
【００２８】
表側拡散層２０ｂは、乳白色アクリル板から構成され、２mm〜５mm厚さ、好ましくは２mm〜３mm厚さ、例えば板厚２mm±０．２での光学的性質（ＪＩＳ  Ｋ７１０５試験法）が、全光線透過率が５１〜５５％・平行線透過率と拡散平行線が５０〜５２％で、散乱平行線透過率が４８〜５２％、反射率３９〜４３％であるのが望ましい。その中でも、好ましくは、全光線透過率が５３％±１、平行線透過率が５１％±１で、散乱平行線透過率が５１％±１、反射率４２％±１のものを選択するのがよい。前記した淡青色の蛍光色の透明アクリル板の裏側拡散層２０ａのよりルクスがよい投光効果と、後記したこの乳白色アクリル板の表側拡散層２０ｂとの複合効果により、ルクスが高い良好な光学的性質の投光効率がよい拡散と照度が明るく鮮明性がある画面光度となる。
【００２９】
また、遮光層２０ｘは図５(a) に示されるように、インク２０ｄ中に銀２０ｅの含有量が１０〜４０％、アクリル樹脂２０ｆの含有量が１０〜３０％で、残り含有量がアクリル樹脂を溶液化する２種の芳香族系及びグリコール系の各溶剤で、全体を１００％に適宜混合配分したインク２０ｄを、約０．５mm〜１mm厚さのアクリル製又はポリカーボネート製の透明フィルム２０ｃ表面に点在させ、塗布し乾燥させたものである。すなわち、インク内の前記各溶剤はほぼ気化されたインクとなる。上記インク２０ｄは図５(b) に示されるように、図の左側、すなわち、上記直状光源１６に近くなればなるほど、密集ないしは重ね状の積層状に点在する。したがって、インク内に配合される銀２０ｅの含有量が光源１６に近いほど濃く、遠くなればなるほど薄くなるように、光源１６からの距離によって順次密から粗に点在し、かつ、その配合を他のアクリル樹脂、各溶剤を調整して透明フィルムへ、例えば予め設定された点在構成のスクリーン印刷により塗布し乾燥するのがよい。
【００３０】
なお、例えば、銀含有量４０％、アクリル樹脂含有量２０％、芳香族溶剤含有量２０％及びグリコーゲン系溶剤含有量２０％に混合配分するインク２０ｄを透明フィルム２０ｃに塗布して最も良い遮光フィルムが得られる。
【００３１】
なお、遮光層２０ｘは、上述のインク２０ｄを塗布した、アクリル樹脂製の透明フィルム厚さ０．７mm±０．４mm、好ましくは厚さ０．６mm±０．３mmの透明フィルムから構成するのがよい。銀含有のインク２０ｄを塗布した光源用遮蔽フィルムの遮光層２０ｘや表裏拡散層の光拡散層２０を使用することにより、特殊な金属遮蔽板が不要となり、このため光拡散層２０自体を薄くかつ、照度を明るくすることができ、且つ光の遮蔽効率がよく、均一で光ムラのない画面表示が得られる。
【００３２】
さらに、前記遮光層２０ｘは、銀含有量１０〜４０％とアクリル樹脂２０ｆの含有量が１０〜３０％、残りが芳香族系溶剤とグリコール系溶剤とであり、全体量１００％に混合したインク２０ｄを透明フィルム２０ｃ上に塗布し乾燥したもので、点在する点の大きさが０．３mm〜１．０mm、好ましくは０．５mm〜０．７mmで、塗膜の厚さが３０〜５０ミクロンであり、しかも光源軸線上での光源１６の軸線上に添い、その太さの約２倍内寸法では、透明フィルム面にインク点在の密度が４０〜６０％の最遮光フィルム部を構成し、この最遮光フィルム部と、光源１６の太さの約２倍を越えて離れる程にインク２０ｄを順次まばらに点在させた順次遮光フィルム部とを、アクリル樹脂製又はポリカーボネート製の透明の遮蔽フィルム上に並列状に点在させたものであるのが望ましい。
【００３３】
また、この銀２０ｅの含有量を４０％に近づけるほど、その遮光性が高められ、この場合はインク２０ｄ内のアクリル樹脂２０ｆの含有量と芳香族系溶剤とグリコール系溶剤の含有量を少なくすることなどで、各配合や点在を適位に変化させるインク２０ｄとすることができる。そして、上記の条件を付加することにより、上記効果と同じく、且つ効率よい遮蔽と画面全体が均一な光ムラ防止の照度が明るい画面表示となる。
【００３４】
インク２０ｄの点在に関し、上記最遮光フィルム部と順次遮光フィルム部とを組合せる構成によれば、各種光源１６の照度等の変化や光源がどの光拡散層２０の近遠寸法にも適位選定できる。
【００３５】
表示フィルム２１は、前記表側拡散層２０ｂの表側面に沿って張設されている。すなわち、表示フィルム２１の外周部は、箱枠体開口部の支持部に固定されている。したがって、表示フィルム２１は光拡散層２０の表側拡散層２０ｂであるアクリル板には全面が均一にされた光を受けるので、ムラなく鮮明に表示することができる。
【００３６】
上述のように、光拡散層２０は上記光源１６に最も近い透明の裏側拡散層２０ａと、上記光源１６に最も遠い乳白色の表側拡散層２０ｂと、上記裏側拡散層２０ａと表側拡散層２０ｂとの間の遮光層２０ｘとから成る三層に重合構造の光拡散層２０であつて、遮光層２０ｘは透明フィルムから構成されているが、これは裏側拡散層２０ａと表側拡散層２０ｂとの間に重合状に層成挟持されるので、光源１６の熱によって伸縮しわが発生するのを防止することができる。
【００３７】
また、光源１６の投光が遮光層２０ｘの銀含有量の透明アクリル樹脂で含有されたインク２０ｄを塗布した透明フィルムから構成され、上記インク内の銀が混合されることで上記直状光源１６に近くなればなる程インクの銀が濃くなるように光源１６からの距離によって任意に変化した選択が粗密に塗布され、さらに、表側拡散層２０ｂで、さらに、光拡散を助長しているので、表示フィルム２１は光拡散層２０で全面が均一にされた光を受けるので、奥行きの浅く薄い表示器が得られ、かつムラなく鮮明に表示することができる。また、光源の例えば蛍光灯の２倍の太さ寸法分のインクを施された最遮光フィルム部の透明フィルム面には、この透明フィルム面積当たりに対してそのインクの点在が４０〜６０％となるようインクを点在することで、光源に最も近い部分の遮光と、光源から離れた部分の順次遮光フィルム部（光源と光源との間の部分も含む）とをインク点在組合せによって各々表示フィルムへ均一に透光する。
【００３８】
【発明の効果】
請求項１に係る発明によれば、光拡散層は上記光源に最も近い透明の裏側拡散層と、上記光源に最も遠い乳白色の表側拡散層と、上記裏側拡散層と表側拡散層との間の遮光層とから成る三層重合構造の光拡散層であって、遮光層は透明フィルムから構成されているが、これは裏側拡散層と表側拡散層との間に層成されるので、光源の熱によって伸縮しわが発生するのを防止することができる。
【００３９】
また、箱枠体の一側に沿って、中央に回転軸を形成した回転軸付きレール材を配置し、この回転軸付きレールの一方の側端部を上記箱枠体の外側に形成された係止溝に係止させ、他方の側端部を箱枠体にネジ止め固定するとともに、上記回転軸に対し、上記框枠体の溝縁を回動可能に嵌合して框枠体を箱枠体に対して開閉可能となっている。このように、回転軸付きレールの一方の側端部を箱枠体の外側に形成された係止溝に係止させることにより、回転軸付きレールは位置決めされる。
【００４０】
請求項２に係る発明によれば、補強効果の高い中空部の近傍に形成された受溝にコーナー具を係合させることにより、取付け作業が容易で、框枠体の支持強度が増す。
【００４１】
請求項３に係る発明によれば、画面表示保護用透明板の全周囲に接着・防水コーキングしたので、上記透明板を支持する為の部材の厚み分だけ薄くなり、薄型の表示器が得られ、また確実な防水ができる。
【００４２】
請求項４に係る発明によれば、クッション材の配設により水密が得られ、また、框枠体の閉じ時にはクッション材の弯曲面は箱枠体の側面に当接するので、無理なく開閉操作でき、気密、水密も確保できる。
【００４３】
請求項５に係る発明によれば、表示フィルムは三層重合の光拡散層でお互いの投光された複合光が活かされて全面が均一にされた光を受けるので、ムラなく鮮明に表示することができる。
【００４４】
請求項６に係る発明によれば、反射板は傾いているので、光源に遠い部位で反射板と後述の光拡散層との間の距離は小さくなるので、表示面への全体の明るさにあまり大きなムラが出るのを防止することができる。
【図面の簡単な説明】
【図１】  本発明に係る内照用表示器の正面図
【図２】  図１のＸーＸ線上の拡大断面図
【図３】  図１のＹーＹ線上の拡大断面図
【図４】  光拡散層の拡大断面図
【図５】  (a) は遮光層の表面の一部平面図、(b) は遮光層の表面の一部の断面図
【符号の説明】
１  箱枠体
２  框枠体
８  回転軸
９  レール材
１６  直状光源
１７  反射板
２０  光拡散層
２０ａ  裏側拡散層
２０ｂ  表側拡散層
２０ｃ  フィルム
２０ｄ  インク
２０ｅ  銀
２０ｆ  インク内のアクリル樹脂
２９  溝縁
３０  透明板
【図１】
0003851028.tif 000002
【図２】
0003851028.tif 000003
【図３】
0003851028.tif 000004
【図４】
0003851028.tif 000005
【図５】
0003851028.tif 000006